Podtech/llm-jp-corpus-v4-ja_patent huggingface dataset:
(57)【要約】      （修正有）【課題】机・食卓、通勤時の電車又は列車、搭乗中の航空機内等での限られたスペースで新聞を読むとき、家族・隣席の方の迷惑又は不快を防止する全紙面タブロイド版の新聞を提供する。【解決手段】新聞を見開き（縦５４、６ｃｍ、横８１、２ｃｍ）の大きさから真中を縦に折半し、タブロイド版（縦５４、６ｃｍ、横４０、６ｃｍ）となるようにすることにより家族・隣席の方の迷惑又は不快防止に役立つとともに読者も読み易く眼労的負担が軽減され購読者の増加が期待できる。【選択図】図４
0003137838.tif 000002
【実用新案登録請求の範囲】
【請求項１】
新聞の見開き（縦５４、６ｃｍ、横８１、２ｃｍ）紙面を縦に折半し、タブロイド版（縦５４、６ｃｍ、横４０、６）化して、読む際にスペースをとらず、しかも読み易くするところを特徴とする全紙面タブロイド版（縦５４、６ｃｍ、横４０、６ｃｍ）の新聞。
【考案の詳細な説明】
【技術分野】
【０００１】  本考案は、新聞の全面紙をタブロイド版化することに関するものである。
【背景技術】
【０００２】  机・食卓・通勤時の電車又は列車内、搭乗中の飛行機等での限られたスペースで新聞を読むとき、家族・隣席の方に迷惑又は不快な思いを与えていた。
【考案の開示】
【考案が解決しようとす課題】
【０００３】  見開きの大きさの新聞は、広げるとスペースが必要になる。さらに読者も広げたままでは、両端まで読むには目の移動のみでは眼労的に負担である。全紙面タブロイド版の新聞とすることによって、スペースをとらず、かつ楽に読聞することが可能となり前述の欠点を解決しようとするものである。
【課題を解決するための手段】
【０００４】  本考案は、新聞の用紙見開き（縦５４、６ｃｍ、横８１、２ｃｍ）紙面を縦のみ折半し、タブロイド版（縦５４、６ｃｍ、横４０、６ｃｍ）とし縦のみを二つ折りにし読むときスペースをとらず、かつ読み易くし、１面、２面を読後は１面を最後の紙面の後に１面を上にして順次読み進むと読み終ったとき新聞紙面は最初の１面が表われることにより問題点を解決している。
【考案の効果】
【０００５】  上述の様に、スペースが少なくて済むことから家族・隣席の方に迷惑又は不快な思いを与えることなく、かつ読者は読み易く眼労的負担が軽減され、購読者の増加が期待できる。
【考案の実施するための最良の形態】
【０００６】  新聞の用紙見開き（縦５４、６ｃｍ、横８１、２ｃｍ）紙面をなくし、タブロイド版（（縦５４、６ｃｍ、横４０、６ｃｍ）の新聞用紙として使用する。
【実施例】
【０００７】  以下、添付図面に従って一実施例を説明する。１は新聞用紙１ページ目でタブロイド版（縦５４、６ｃｍ、横４０、６ｃｍ）、２は新聞を読むため２ページと３ページを開いた見開き（縦５４、６ｃｍ、横８１、２ｃｍ）の状態で読むとき食卓、通勤時の電車又は列車内、搭乗中の飛行機内等の限られたスペースでは、家族・隣席の方に迷惑又は不快な思いを与え、読者には眼労的負担がある。３は２の状態を避けるため１の状態に折り曲げた状態に戻し読んでいるのが現状である。【０００８】  ４は２の見開き（縦５４、６ｃｍ、横８１、２ｃｍ）を縦に点線部を折半切断する。５は切断したものを上に重ねることにより新聞紙の１ページ部が最初に出てくることになり４０ページある新聞でも同様となる。即ち１の状態が保たれる。【０００９】  本考案の一実施例は上述の如き構成からなるものであるから、５の状態から横に折り曲げれば（図示せず）新聞を配達時の大きさとなり、更に縦に折り曲げれば（図示せず）読者の通常持ち歩くときの状態となる。
【図面の簡単な説明】
【００１０】
【図１】新聞用紙１ページ目でタブロイド版（縦５４、６ｃｍ、横４０、６ｃｍ）。
【図２】新聞用紙２ページ目と３ページ目を開いた見開き（縦５４、６ｃｍ、横８１、２ｃｍ）にした状態。
【図３】新聞用紙見開き（縦５４、６ｃｍ、横８１、２ｃｍ）の状態からタブロイド版（縦５４、６ｃｍ、横４０、６ｃｍ）。
【図４】本考案の新聞用紙４０ページを見開き（縦５４、６ｃｍ、横８１、２ｃｍ）にした場合の折半線を点線で示す図面である。
【図５】本新聞の折半線切欠後の正面図である。これで１ページから４０ページまで単葉の連続紙面となる。
【符号の説明】
【００１１】１  ４０ページある新聞を真中ページで見開き状態としたときの切断点線
【図１】
0003137838.tif 000003
【図２】
0003137838.tif 000004
【図３】
0003137838.tif 000005
【図４】
0003137838.tif 000006
【図５】
0003137838.tif 000007
(57)【要約】      （修正有）【課題】竹筒に酒を充填する際に手間がかからず簡単に操作でき、また酒を充填後に竹筒が倒れても酒が容易にこぼれることがない竹筒容器への酒充填を可能とする。【解決手段】エアーポンプ４よりエアーを吐出させ、酒瓶中の空気圧を高めることにより、サイホン効果によりエアーチューブ１０とエアーチューブ１０の先端に取り付けた中空針を介して、竹筒１２の上部節１５の外側より上部節の竹筒内部の上部節下部に向けて貫通させた細孔より酒瓶中の酒を竹筒容器に充填する。【選択図】図１
0003137839.tif 000002
【実用新案登録請求の範囲】
【請求項１】
内部節を備え、上部節の一箇所に１．５ｍｍ〜３．５ｍｍ径の細孔を設けた竹筒の容器と、酒瓶の注ぎ口の内径にほぼ近い外径と芯部にエアーチューブ１０とエアーチューブ５を挿入貫通可能な２ヶ所の搾孔を備えたゴム栓と、小型のエアーポンプと、酒瓶の高さより長く且つ竹筒の上部に差し込むのに充分な長さを備えて吐出側の先端に上部節の細孔に挿入可能な外径の中空針を取り付けたエアーチューブ１０とエアーポンプのエアー吹き出し口と酒瓶の注ぎ口との間を充分接続できる長さのエアーチューブ５からなり、酒瓶の注ぎ口にゴム栓とエアーチューブ５，１０をゴム栓の搾孔に挿入し、エアーポンプより酒瓶中にエアーチューブ５を介してエアー吐出し、酒瓶中の空気圧を高めることにより、エアーチューブの酒吸入口よりエアーチューブ１０と中空針を介して竹筒の容器に酒瓶中の酒を充填することを特徴とする充填装置。
【考案の詳細な説明】
【技術分野】
【０００１】
本考案は、酒瓶中の酒を、竹筒の容器に容易に移し換え充填することのできる装置に関するものである。
【背景技術】
【０００２】
従来、竹筒に小径の穴を開けて酒を注入しようとする際は、注射器状の器具で一旦吸入し移し換える、または点滴状の器具の容器に移し換えチューブを介して注入していた。注射器状の器具ではシリンダー部に酒を移し替える手間がかかる上移す際に酒をこぼす、又点滴状の器具では注入に重力を利用することから充填に多くの時間を要する問題があった。
【０００３】
この手間を省くために、竹筒の筒部に酒を注ぎこめる程度の大きさの注入口を形成し、注入口より直接酒を注ぎ込んでいた。
しかし、竹筒の筒部酒を注ぎこめる程度の大きさの注入口を形成し、注入口より直接酒を注ぎ込む方法は、竹筒が倒れたときに、竹筒内の酒が注入口より竹筒外に漏れ出す欠点があった。
【特許文献１】特開２００１−３３５０４０
【考案の開示】
【考案が解決しようとする課題】
【０００４】
本考案は、酒を、酒瓶から竹筒に充填する際に、手間がかかり、酒瓶中の酒をこぼし、また竹筒に充填後に酒筒が倒れるとお酒が容易にこぼれる点である。
【課題を解決するための手段】
【０００５】
本考案は、  内部節を備えた竹筒の上部節の一箇所に孔を設け、エアーポンプよりエアーを吐出することで酒ビン中の空気圧を高め、エアーチューブ１０と中空針を介して竹筒の容器に酒瓶中の酒を充填することを最も主要な特徴とする。
【考案の効果】
【０００６】
本考案の酒充填装置は、エアーチューブ１０と中空針により、エアーポンプのエアー吐出により酒瓶中の空気圧を高めることで、サイホン効果により酒瓶中の酒を内部節の備えた竹筒に効果的に充填可能とし、また酒が充填された竹筒が倒れても容易に酒がこぼれない利点がある。
【考案を実施するための最良の形態】
【０００７】
図１に酒充填装置を示す。エアーチューブ１０を酒瓶の底に達する位置迄、エアーチューブ５をゴム栓９の下部３ｍｍから３０ｍｍに達する位置迄挿入したゴム栓を酒が入った酒瓶の注ぎ口に取り付ける。
【０００８】
エアーチューブ５は、エアーポンプ４の空気吐出部に接続され、エアーポンプ４は、電源コンセントを商用電源に差し込むことで電源コードより電力が供給され、電源スイッチ３をＯＮにすることで空気の吐出が可能となる。
【０００９】
竹筒１２は、上部節１５、下部節１６を備え酒の充填が可能な構造となっており、最下部に転倒を防ぐために凹状切欠き１４を３箇所または４箇所設け、上部節１５の外周の一ヶ所に上部節１５の僅か下側に貫通する１.５ｍｍ〜３.５ｍｍの注入孔１１を設けている。また、竹筒に充填された酒を、上部節１５の一部を酒を充填後使用者が器具により開口した後に竹筒から酒を注ぐための酒注ぎ口１３が加工されている。なお、欠き込みはカビの発生を防ぐ効果がある。
【００１０】
図１のエアーチューブ１０は、酒瓶７の底部に迄挿入され酒吸入口８が酒瓶７の底に接触し、図３に示すようにエアーチューブ１０の先端に取り付けた上部節１５の細孔に挿入可能な外径の中空針１７が上部節１５の注入孔１１に挿入できるようになっている。
【００１１】
エアーポンプ４より空気を吐出し、エアーチューブ５を介して酒瓶７の内部空気圧を高めてサイホン効果により、酒瓶７中の酒をエアーチューブ１０の酒吸入口８より吸入しエアーチューブ１０及び中空針１７を介して、竹筒１２に酒を充填する。
【産業上の利用可能性】
【００１２】
エアーポンプに取り付けた電源スイッチの電源をＯＮにすることにより酒瓶中の空気圧を高め、サイホン効果により、酒瓶中の酒をエアーチューブ１０、中空針を介して容易に竹筒内に酒を充填できる。また、竹筒に充填された酒は竹筒が倒れても酒がもれることはなく、誰にでも簡単に竹筒に酒瓶中の酒を充填できる。
【図面の簡単な説明】
【００１３】
【図１】充填装置の全体構造を示した図面である。
【図２】搾孔を備えたゴム栓とエアーポンプを挿入した部分の拡大図面である。
【図３】エアーチューブＡと中空針との接続部の拡大図面である。
【符号の説明】
【００１４】
１    電源コンセント
２    電源コード
３    電源スイッチ
４    エアーポンプ
５    エアーチューブ
６    エアー吹き出し口
７    酒瓶
８    酒吸入口
９    ゴム栓
１０    エアーチューブ
１１    ノズル
１２    竹筒
１３    酒注ぎ口
１４    凹状切欠き
１５    上部節
１６    下部節
１７    中空針
【図１】
0003137839.tif 000003
【図２】
0003137839.tif 000004
【図３】
0003137839.tif 000005
(57)【要約】【課題】    本考案に係る柄付きモップ保持具は、清掃用の柄付きモップの転倒防止を図り、かつ使用時に任意の角度に傾斜して清掃できる柄付きモップ保持具を提供することである。【解決手段】    モップ台の中央部に末端バネを有する柄を装着し、該中央部を中心から離れた円周上に円弧状の外バネ固定用内ネジを設け、該ネジに柄上端から挿入した円錐形状の外バネの下端に固定した外バネ固定用外ネジを螺合して一体に形成した柄付きモップ保持具であり、不使用時には柄を起立した状態で保持できるため転倒防止も図れ、床等に損傷を与える危険性を排除することもできる。【選択図】図１
0003137836.tif 000002
【実用新案登録請求の範囲】
【請求項１】
板状のモップ台の中央部に末端バネを有する柄を垂直に装着し、該中央部から離れた円周上に左右対称に配置した円弧状の外バネ固定用内ネジを設け、該内ネジに柄先端から挿入した円錐形状の外バネを装着し、該外バネの下端に設けた外バネ固用外ネジを前記外バネ固定用内ネジに螺合して一体に構成したことを特徴とする柄付きモップ保持具。
【考案の詳細な説明】
【技術分野】
【０００１】      本考案は、柄付きモップにおいて、清掃作業を休止し、手を離した際でも柄が倒れず起立した状態で保持できる柄付きモップ保持具に関するものである。
【技術背景】
【０００２】      従来の柄付きモップ保持具は、柄の下端部をモップ台にネジを介して挟時し、柄がこの部分を支点にして、前後左右自在に変位できる構造が主体であった。（例えば、特許文献１参照）また、柄のモップを取付ける端部（下端）に対し、外周に複数の突起を有する連結軸を設け、この連結軸をヘッド、所謂、モップ取付け台に起伏自在に連結し、該ヘッドに固定され板ばねの圧接部の凹所に連結軸の突起に係脱可能な構造も知られている。（例えば、特許文献２参照）
【０００３】
【特許文献１】特開平７−５１２１２号公報
【特許文献２】特開平９−２８５４３０号公報
【考案の開示】
【考案が解決しようとする課題】
【０００４】      しかしながら、特許参考文献１では、柄から手が離れた際、柄が倒れてしまう欠点があり、床、その他家具等に損傷を与える不利があった。また、特許参考文献２では、凹部の角度で柄を支持できるが、構造が複雑で、価格も高く、しかも専用の清掃具（モップ）にしか装着できない不利があった。
【課題を解決するための手段】
【０００５】      本考案は、このような欠点を除去するため、柄と清掃用のモップを装着するモップ台からなる保持具において、図示しないモップを装着するモップ台と、その表面の中央部に下端部に末端バネを設けた柄を装着し、またモップ台に上記柄から離れた円周上に対称に配置した円弧状の外バネ固定用内ネジコイルバネを設け、下端に外バネ固定用内ネジを備え円錐形状に構成した外バネを柄の上端から挿入し、外バネ固定用内ネジを外バネ固定用外ネジに螺合させて一体に構成したものである。清掃作業時に柄が末端バネ、外バネの弾性変形で任意角度に傾斜でき、不使用時は起立した状態で維持できる柄付きモップ保持具を提供することである。
【考案の効果】
【０００６】      上述したように、本考案に係る柄付きモップ保持具は、外バネ及び末端バネの働きで通常、起立した状態で柄を保持でき、使用時にバネの弾力性で柄を任意角度で傾斜して清掃できるものであり、柄が転倒して床、家具等に損傷を与える危険性もなく、かつ格納する場合もスッキリ整理できる特徴があり、さらに構成部材が少なく、構造も簡単なため安価にできる利点がある。
【考案を実施するための最良の形態】
【０００７】      以下に、図面を用いて本考案に係る柄付きモップ保持具の一実施例を詳細に説明する。即ち、図１は本考案の全体構成を示す概略説明図であり、１は柄、２は末端バネ、３はモップ台、４は外バネ固定用外ネジ、５は外バネ固定用内ネジ、６は外ばねである。【０００８】      さらに説明すると、図２に示すように柄１の下端に末端バネ２を固定し、例えば長方形等の板体からなるモップ台３の中央部に末端バネ２の下端を装着する。モップ台３は図示しないモップを着脱自在に装着するものであり、その中央部に装着した末端バネ２を中心に描いた円周上で、かつ左右対称の円弧状に形成した外バネ固定用外ネジ４を固定したものである。【０００９】      外バネ固定用内ネジ５は、図３に示すように外バネ６の下端に一体に装着した螺合用のネジであり、外バネ固定用内ネジ４に螺合してモップ台３と外バネ６との一体化に役立つものである。【００１０】      外バネ６は、図５に示すようにコイル状のバネ素材を円錐状に巻回し、頂点部は柄１が貫通できる大きさの開口６ａに形成して、通常は柄１を安定性のある形状のモップ台３を介して起立した状態で安定して柄１を保持するものである。【００１１】    次ぎに、本考案に係る柄付きモップ保持具の組み立てと使用状態を簡単に説明すると、先ずモップ台３に柄１を装着する。次ぎに外バネ６を柄１の上端から挿入してモップ台３まで到達させ、外バネ固定用内ネジ５を外バネ固定用外ネジ４に螺合し、一体化する。また、これに図示しないモップをモップ台３に装着して清掃するには、末端バネ２、及び外バネ６の弾力性を介して任意角度に変化して清掃作業を行うものである。勿論、清掃作業体勢が中止すれば、末端バネ２，外バネ６の弾性変形で現状復帰して柄１を起立した状態で保持するものである。
【図面の簡単な説明】
【００１２】
【図１】本考案に係る柄付きモップ保持具の一実施例を示す概略構成説明図である。
【図２】本考案に係る柄付きモップ保持具の外バネを除いて示す説明図である。
【図３】図２の上面図である。
【図４】本考案に係る外バネの全体を示す説明図である。
【図５】図４の上面図である。
【符号の説明】
【００１３】１  柄
２  末端バネ
３  モップ台
４  外バネ固定用外ネジ
５  外バネ固定用内ネジ
６  外バネ
【図１】
0003137836.tif 000003
【図２】
0003137836.tif 000004
【図３】
0003137836.tif 000005
【図４】
0003137836.tif 000006
【図５】
0003137836.tif 000007
(57)【要約】【課題】      本考案に係る骨盤矯正バンドは、人体の骨盤に局部的な圧迫や痛みによる不快感、を与えずに骨盤を矯正した骨盤矯正バンドを提供することである。【解決手段】      弾力性による締め付けを図るゴムバンドのほぼ中央部に仙腸関節等を加温する温熱ヒータ、仙腸関節に振動を与えながら調整するバイブレータを内蔵した補助体とから構成し、骨盤に骨盤矯正バンドを巻回して締め付けておくだけで快適に矯正できる大きな特徴がある。【選択図】図２
0003137837.tif 000002
【実用新案登録請求の範囲】
【請求項１】
骨盤に巻回してゴムの弾力性で骨盤を締め付ける圧力を有するゴムバンドと、該ゴムバンドのほぼ中央部に線腸関節を含む箇所を温める温熱ヒータ、及び該箇所に振動を与えるバイブレータを内蔵した半月形状の補助体を一体に設けたことを特徴とする骨盤矯正バンド。
【考案の詳細な説明】
【技術分野】
【０００１】      本考案は、骨盤矯正バンドに係り、特にゴムバンドの弾力による締め付け圧力下で温熱部材、及び振動発生部材を内蔵すると共に、素材のクッション性と局部圧迫を分散するような半月形状に形成した補助体を一体に設けた骨盤矯正バンドに関するものである。
【技術背景】
【０００２】      従来のこの種、骨盤矯正バンドとしては、内部に突起を取付け圧迫により矯正するバンドがある。（例えば、特許文献１参照）また、矯正帯としては、皮下脂肪の多い部分に腰回り等に巻いて加圧し、その部分の体圧を矯正して皮下脂肪の減少による腰痛の低減が知られている。（例えば、特許文献２参照）さらに、腰仙部体幹装具として装着を簡体化した簡易型腰仙部体幹装具が提案されている。（例えば、特許文献３参照）
【０００３】
【特許文献１】特開２００４−３２９８７０号公報
【特許文献２】特開平１０−８０４３９号公報
【特許文献３】特開２００４−１４８０６０号公報
【考案の開示】
【考案が解決しようとした課題】
【０００４】          しかしながら、特許文献１に記載の骨盤矯正バンドは、突起が人体を局部的に圧迫し痛み、又は不快感を与える欠点があった。また、特許文献２に記載の体圧矯正体は皮下脂肪の低減を図るためバンドに突起を複数個形成し、突起に空気を注入して体圧を付加する構成であり、骨盤矯正に直結した目的構成が記載されていない。さらに、特許文献３記載の腰仙部体幹装具は腰椎の前彎矯正、仙腸関節の安定支持を目的とした着脱の簡単化を図った装具であり、骨盤矯正を図る目的よりは、着脱を簡素化する構造的であり、エアによるクッション性の突起をバンドの周縁に設けた構成である。
【課題を解決するための手段】
【０００５】      本考案は、このような欠点を除去するため、弾力性があり、腰周縁を巻回する大きさのゴムバンドの表面のほぼ中央部分に半月形状の補助体を一体に固定し、この補助体に温熱ヒータ、及びバイブレータを内蔵した構造である。
【考案の効果】
【０００６】        本考案に係る骨盤矯正バンドによれば、補助体に内蔵した温熱ヒータとバイブレータの相乗効果により、接触した仙腸関節がゆるみ、それと同時にゴムバンドの弾力による締め付け圧で骨盤の開きを矯正し、Ｏ脚の矯正や骨盤矯正を自分でこのバンドを装着しながら自然に矯正でき、かつ骨盤矯正バンド装着時の補助体による痛み、及び不快感も補助体素材のクッション性により身体にフィットして感じられず、かつ自己治療の感じでも危険性が全くない安全で、しかも心地よく装着できる骨盤矯正バンドを提供するものである。
【考案を実施するための最良の形態】
【０００７】      以下に、図面を用いて本考案に係る骨盤矯正バンドの一実施例を詳細に説明する。図１は本考案に係る骨盤矯正バンドを示す上面図であり、図２はその正面図、図３は図１Ａ−Ａ線における断面図である。これら図において、符号１はゴムバンド、２は補助体、３は温熱ヒータ、４はバイブレータ、５は面ファスナーである。【０００８】      さらに詳しく説明すると、ゴムバンド１は骨盤に巻き付け、かつ装着した際にゴムの弾力性で骨盤を締め付けるものである。また、補助体２はクッション性を有する素材、例えばポリウレタン、所謂ポリウレタンフォームからなり、これをゴムバンド１の一面のほぼ中央部分に一体に装着し、人間の骨盤の外部に上記クッション性等を介してフィットする形状、例えば半月形状に形成したものである。【０００９】    温熱ヒータ３は、補助体２に内蔵し、かつゴムバンド１と補助体２が接触する面に一体に介在させ、身体に温度を加えて血行を良くすることにより、仙骨に起始する筋群、例えば大殿筋、多裂筋、最長筋、腸肋筋等の筋肉の緊張を緩和し、さらに奥にある靱帯、例えば仙腸靱帯等の緊張を緩和するものである。【００１０】      バイブレータ４は、補助体２に内蔵して保持し、補助体２のクッション性を利用して骨盤に直接振動が伝達されないようにし、徐々に仙腸関節のゆるみを矯正するのに役立つものである。【００１１】    面ファスナー５は、ゴムバンド１を骨盤に巻回した際に、矯正バンドを骨盤から離脱しないように、及びゴムの弾力性による締め付け力（圧力）を骨盤に加えるためのものである。【００１２】    次ぎに、本考案に係る骨盤矯正バンドの使用法を簡単に説明すると、まず補助体２に温熱ヒータ３，バイブレータ４を内蔵し、これをゴムバンド１の図示する位置、所謂ほぼ中央部に一体に装着する。これを使用するには、ゴムバンド１に装着した補助体２が仙腸関節に対応する箇所に接触させて骨盤にゴムバンド１を面ファスナー５を介して締め付け後、装着する。
【図面の簡単な説明】
【００１３】
【図１】本考案に係る骨盤矯正バンドの一実施例を示す上面図である。
【図２】本考案に係る骨盤矯正バンドの一実施例を示す正面図である。
【図３】図１に於けるＡ−Ａ線による断面図である。
【符号の説明】
１  骨盤矯正バンド
２  補助体
３  温熱ヒータ
４  バイブレータ
５  面ファスナー
【図１】
0003137837.tif 000003
【図２】
0003137837.tif 000004
【図３】
0003137837.tif 000005
(57)【要約】      （修正有）【課題】貝の合わせ目に刃先を刺すとき狙いが定めやすく、又貝柱をきれいに切ることができる貝剥き用具を提供する。【解決手段】刃板を狭く形成し、刃先部を任意に反らせ、刃板を柄に装着した二枚貝用、貝剥き用具。【選択図】図１
0003137832.tif 000002
【実用新案登録請求の範囲】
【請求項１】
刃板を狭く刃先部を反らせたことを特徴としうる二枚貝用、貝剥き用具。
【考案の詳細な説明】
【技術分野】
【０００１】  本考案は刃板を狭く刃先部を反らせた貝剥き用具に関するものである。
【背景技術】
【０００２】  従来は刃板が狭く刃先部の反った貝剥き用具はなかった。
【考案の開示】
【考案が解決しようとする課題】
【０００３】  それには次のような問題点があった。
（イ）刃板が広いので貝への刺さりが極端に悪かった。
（ロ）刃板が平らなために狙いが定めづらかった。
（ハ）刃板が平らなために貝柱をきれいに切ることができなかった。
【課題を解決するための手段】
【０００４】  刃板を狭く形成し、刃先部を任意に反らせて構成する。
【考案の効果】
【０００５】  刃板を狭く刃先部を反らせたことにより、貝の合わせ目に刃先を刺すとき狙いが定めやすく、又貝柱をきれいに切ることができ作業効率が大幅に向上する。
【考案を実施するための最良の形態】
【０００６】  刃板を狭く刃先部を反らせて形成する。刃先の形状については片刃と両刃がある。
以下本考案の実施の形態について説明する。
（イ）刃板（２）を狭く形成し、刃先部（１）を任意にそらせて構成する。
（ロ）片刃（３）両刃（４）のそれぞれの刃板を柄（５）に差し込み装着固定する。
【図面の簡単な説明】
【０００７】
【図１】本考案の斜視図
【図２】本考案の平面図
【図３】本考案の側面図
【図４】本考案の両刃の平面図
【図５】本考案の片刃の斜視図
【符号の説明】
【０００８】１  刃先部
２  刃板
３  片刃
４  両刃
５  柄
【図１】
0003137832.tif 000003
【図２】
0003137832.tif 000004
【図３】
0003137832.tif 000005
【図４】
0003137832.tif 000006
【図５】
0003137832.tif 000007
(57)【要約】      （修正有）【課題】洗面器があれば何処でも顔を確認しながら髭剃りや洗面を行う事が出来るようにする。【解決手段】洗面器又は中の水切り等に前後左右に動く事の出来る鏡を取り付ける。洗面器があれば何処でも顔を確認しながら髭剃りや洗面を行う事が出来るようにする。市販の洗面器にも鏡を固定することによって同様に出来る。使用後は取り外しができる。【選択図】図１
0003137828.tif 000002
【実用新案登録請求の範囲】
市販の洗面器や、洗面器の中の水切りに鏡を着け、髭剃り洗顔等に使用する洗面器
【考案の詳細な説明】
〔実用新案登録請求の範囲〕
市販の洗面器に取り外しの出来る鏡を着けたり、洗面器や水切りに鏡を固定したもの。
〔考案の詳細な説明〕
この実用新案は、髭剃りや洗面の時、鏡が無ければ剃れ具合がわからず、鏡を固定してある所迄行ったり又は別の鏡を持っていたりしたが、置き場所等に困り不便であった。
それらの欠点を補う為に、洗面器又は水切りに鏡を取り着けたものである。
【図面の簡単な説明】
【図１】第１図は立体図
【図２】第２図は第１図の平面図
【図３】第３図は第１図の側面図
【図４】第４図は立体図
【図５】第５図は第４図の側面図
【図１】
0003137828.tif 000003
【図２】
0003137828.tif 000004
【図３】
0003137828.tif 000005
【図４】
0003137828.tif 000006
【図５】
0003137828.tif 000007
【手続補正書】
【提出日】平成19年9月8日(2007.9.8)
【手続補正１】
【補正対象書類名】実用新案登録請求の範囲
【補正対象項目名】全文
【補正方法】変更
【補正の内容】
【実用新案登録請求の範囲】
【請求項１】
市販の洗面器や、洗面器の中の水切りに鏡を着け、髭剃り洗顔等に使用する洗面器
(57)【要約】      （修正有）【課題】梯形状網目のアスレチックネットをピラミッド風にワイヤーロープを固定し、小さな山を形成した網目を使って昇降させることにより健康を増進させる模擬登山感覚で昇降運動をさせる保健用の遊具を提供する。【解決手段】主柱１を支えるワイヤーロープ３の上から梯形網５を被せて山を形成し、楽しみながら自然に登山や下山をさせることで健康増進に役立つ保健用具。【選択図】図１
0003137822.tif 000002
【実用新案登録請求の範囲】
【請求項１】
街の電柱と同様に、主柱の下部を埋設したり、又は、金具等で固定しそれぞれのフック部分から放射状にワイヤーロープを張って主柱を支えるがそのワイヤーロープには主柱を均等に支える目的でロープの中間に緊締調節金具が設けられている。それ等の上から梯形状つまり底辺を長く上辺を短く編んだアスレチックネットを被せワイヤーロープに固定して人口の山を形成したことに特徴を有し、主として子供を対象にして登山感覚で昇降させようとするもので楽しみながら全身運動をさせることにより健康を増進しようとした、梯形状網目の網を用いた保健用遊具。
【考案の詳細な説明】
【技術分野】
【０００１】  本考案は、梯形状網目のアスレチックネットをピラミッド風にワイヤーロープに固定して設置したもので模擬登山感覚で楽しく昇降運動をさせる保健用の遊具に関するものである。
【考案の開示】
【考案が解決しようとする課題】
【０００２】  主として子供を対象に擬似登山を遊び感覚で楽しみながら行えるようにして健康を増進させることにより運動不足を解消しようとするものである。【０００３】  子供は好奇心が旺盛であることに着目して模擬的に登山や下山をさせることにより自然に体力をつけられるように仕向けたもので、健康増進に役立つものである。
【考案を実施するための最良の形態】
【０００４】  目の前に登りたくなるような擬似山を形成することで自発的に挑戦させるものである。
【実施例】
【０００５】  本考案は、街の電柱と同様に主柱１の下部を埋設したり又は金具等で固定し、頂上部に複数のフックを有する自在バンド２を複数個緊締し、それぞれのフックから放射状にワイヤーロープ３を張り、柱を固定するが、それぞれのワイヤーロープ３には主柱１を均等に支えるための地面６の中のアンカー７と緊張金具４を使って柱の倒れを防止するが、更に放射状に張ったワイヤーロープ３の上から梯形状つまり底辺を長く上辺を短くした梯形網５をつくりそれらの網目を連続させることにより上部にいくに従って小さくなるように編んだ網をピラミッド状に被せ要所をワイヤーロープ３に結び付けて固定すれば人工的な山を形成し擬似登山の昇降運動が出来るようにして問題を解決している。
【図面の簡単な説明】
【０００６】
【図１】  本考案の一部断面した正面図である。
【図２】  本考案の一部断面した平面図である。
【符号の説明】
【０００７】  １  主柱
２  自在バンド
３  ワイヤーロープ
４  緊張金具
５  梯形網
６  地面
７  アンカー
【図１】
0003137822.tif 000003
【図２】
0003137822.tif 000004
【手続補正書】
【提出日】平成19年8月30日(2007.8.30)
【手続補正１】
【補正対象書類名】実用新案登録請求の範囲
【補正対象項目名】全文
【補正方法】変更
【補正の内容】
【実用新案登録請求の範囲】
【請求項１】
街の電柱と同様に、主柱の下部を埋設したり、又は、金具等で固定しそれぞれのフック部分から放射状にワイヤーロープを張って主柱を支えるがそのワイヤーロープには主柱を均等に支える目的でロープの中間に緊締調節金具が設けられ、それ等の上から梯形状つまり底辺を長く上辺を短く編んだアスレチックネットを被せワイヤーロープに固定して人口の山を形成した梯形状網目の網を用いた保健用遊具。
(57)【要約】      （修正有）【課題】角脚を有する座台の角脚を使用して足載せ棒を上下の調節が自在になるよう挿着し、足を垂らした状態で足を載せられるようにして長時間の釣りを楽しむことができるようにする。【解決手段】座台１の脚３に挿着自在な足載せ棒５からなり、足載せ棒の長さ方向の一側部には脚に対応し挿通自在な挿通穴６を設け、挿通穴の一側部寄りの足載せ棒を操作部７とすると共に、挿通穴の他側部寄りの足載せ棒の上面縁には挿通穴の対向方向に伏勢するバネ板８を設けて、足載せ棒を脚に上下動の調節が自在になるよう挿着自在とした組立式座台の脚に挿着自在な足載せ棒からなり、足載せ棒の長さ方向の一側端部には脚に対応し挿通自在な挿通穴を設け、挿通穴の端部寄りの足載せ棒を操作部とすると共に、操作部と対向側の足載せ棒を足載せ部として、足載せ部の挿通穴の上面縁には操作部方向に伏勢するバネ板を設けてある。【選択図】図１
0003137883.tif 000002
【実用新案登録請求の範囲】
【請求項１】
組立式座台の脚に挿着自在な足載せ棒からなり、足載せ棒の長さ方向の一側端部には前記脚に対応し挿通自在な挿通穴を設け、該挿通穴の端部寄りの足載せ棒を操作部とする共に、操作部と対向側の足載せ棒を足載せ部として、足載せ部の挿通穴の上面縁には操作部方向に伏勢するバネ板を設けてあり、足載せ棒を脚に上下動の調節が自在なるよう挿着自在とした組立式座台用脚の足載せ装置。
【請求項２】
組立式座台の脚が丸パイプ状のものにおいて、足載せ棒の挿通穴を丸パイプ状脚に対応させると共に、足載せ部には取っ手付のカムを回転自在に設け、該カムの取っ手による回転操作によりカムを脚に押圧自在としたロック機構を設けた請求項1記載の組立式座台用脚の足載せ装置。
【考案の詳細な説明】
【技術分野】
【０００１】
本考案はヘラブナ釣り等に使用する組立式の座台用角脚の足載せ装置に関する。
【背景技術】
【０００２】
従来ヘラブナ釣りの場合は一定箇所に座り込み釣るのが普通であるが、その際地面に座ったのでは湿気や汚れなどで不快感を呈し長続きしない。そのため椅子代わりで脚の伸縮操作のできる組立式の座台を用意して座りながら釣りを楽しむのが一般的である。
然しながらこの座台はあぐら、正座などの状態で座って釣りをするようになっているが、足を椅子のように垂れ下げ、足を載せることができず不便である。
【考案の開示】
【考案が解決しようとする課題】
【０００３】
そこで本考案は、組立式の脚を有する座台の脚を使用して足載せ棒を上下の調節が自在なるよう挿着し、足を垂らした状態で足を載せられるようにし、長時間の釣り楽しもうとするものである。
【課題を解決するための手段】
【０００４】
組立式座台の脚に挿着自在な足載せ棒からなり、足載せ棒の長さ方向の一側端部には前記角脚に対応し挿通自在な挿通穴を設け、該挿通穴の端部寄りの足載せ棒を操作部とする共に、操作部と対向側の足載せ棒を足載せ部として、足載せ部の挿通穴の上面縁には操作部方向に伏勢するバネ板を設けてあり、足載せ棒を脚に上下動の調節が自在なるよう挿着自在とした組立式座台用角脚の足載せ装置である。
【考案の効果】
【０００５】
本考案の効果として、座台の上に座るのは勿論のこと、足を座台の外側に垂らした状態で足を載せられるので長時間の釣り楽しむことができ、疲れの軽減に効果がある。
【実施例】
【０００６】
本案を図１の実施例により詳記すると、正方形或は長方形状の組立式の座台１の四隅に、該座台１の側縁に対し４５度に傾斜させた正方形状の取付穴２を設け、この取付穴２に対応する角脚３を挿着自在としてある。４は角脚３の締着具である。
【０００７】
角パイプ状の足載せ棒５の長さ方向の一側端部５’には前記角脚３に対応し挿通自在な挿通穴６を設け、該挿通穴６の端部寄りの足載せ棒５を操作部７とする共に、操作部７と対向側の足載せ棒５を足載せ部５”として、足載せ部５”の挿通穴６の上面縁には操作部方向に伏勢するバネ板８を設けてあり、足載せ棒５を角脚３に上下動の調節が自在なるよう挿着自在としたものである。操作部７、足載せ部５”の上面には滑り止め９を設けておくと良い。
【０００８】
これを使用するには、先ず角脚３を足載せ棒５の挿通穴６にバネ板８に抗して挿通し、その後座台１と角脚３を組立て、角脚３の長さを調節しながら地面に設置する。足載せ棒５の位置を調節するには操作部７を押し下げれば下動し、足載せ部５”を足の甲などで下から持ち上げれば上動し、上下動操作を止めた任意に位置で停止する。更に足載せ部５”上面に足を載せれば、挿通穴６の足載せ部５”寄りの下縁と操作部７寄り上縁が角脚３の表面に食い込む力が働き降下しない。任意の位置での停止状態でもバネ板８の伏勢が働き足載せ棒５は不用意に降下しない。
【０００９】
以上は座台1の脚３が角パイプ上のものについて説明してきましたが、脚３が丸パイプ状のものにあっては図３、図４のように足載せ棒5の回転を防止するロック機構１２を設けるようにする。そのロック機構１２は、先ず足載せ棒５の挿通穴６を丸パイプ状脚３に対応させると共に、足載せ部５”の挿通穴６の上面縁でバネ板８の立ち上がり部分の下部位置に取っ手１０付のカム１１を回転自在に設け、該カム１１の取っ手１０による回転操作によりカム１１の表面を脚３に押圧自在としたものである。
ロック機構１２のカム１１は図４の一点鎖線に示すように足載せ棒５の中に設けても良く、この場合は足載せ棒５の側部に長穴１２を設け取っ手１０の操作をできるようにする。
【００１０】
このロック機構１２の働きは足載せ棒５と脚３の回転を止めるものであり、カム１１の締め付け後は足載せ棒５を外側に押し出せば寄り締め付けが強まり不用意な回転が止められる。その他の作用は角脚３の実施例に述べた説明と同じである。
【図面の簡単な説明】
【００１１】
【図１】本考案の組立式座台用脚の足載せ装置の説明図。
【図２】足載せ棒と脚の挿着状態を示した拡大説明図。
【図３】脚が丸パイプ状のものである場合のロック機構を設けた足載せ装置の説明図。
【図４】図３の縦断説明図。
【符号の説明】
【００１２】
１：座台
２：取付穴
３：脚
４：締着具
５：足載せ棒
５’：一側端部
５”：足載せ部
６：挿通穴
７：操作部
８：バネ板
９：滑り止め
１０：取っ手
１１：カム
１２：長穴
【図１】
0003137883.tif 000003
【図２】
0003137883.tif 000004
【図３】
0003137883.tif 000005
【図４】
0003137883.tif 000006
(57)【要約】      （修正有）【課題】従来のたわしは外周全体の縛り部分が軟弱の為、使用時の頑固な汚れ落としができず、ボディマッサージの摩擦力も弱く、且つ、たわし本体の型崩れと毛を損耗する課題があった。【解決手段】たわしの縛り部分に沿って外周全体を装着するガードベルト１であり、ベルト全体に波型の滑り止め加工２をし、ベルトの先端には掻き落とし専用のへら状の突起物３を設けたところを特徴とするたわしガードベルト。【選択図】図１
0003137848.tif 000002
【実用新案登録請求の範囲】
【請求項１】
本考案は、たわしの縛り部分に沿って外周全体を装着するガードベルトであり、ベルト全体に波型の滑り止めを加工し、ベルトの先端には掻き落とし専用のへら状の突起物を設けたところを特徴とするたわしガードベルト。
【考案の詳細な説明】
【技術分野】
【０００１】本考案は、たわしの汚れ落とし及びボディマッサージ活用が効率よくできることを目的とした、たわしに装着して使用するたわしガードベルトに関するものである。
【背景技術】
【０００２】従来のたわしは、たわしを束ねている縄状外周部分が軟弱で握りにくいため握力不足で力が入れにくく頑固な汚れ落としができず及びボディマッサージの摩擦力も弱くなり且つ、力を加えると外圧でたわし本体の形が崩れると共に毛を損なう欠点があった。
【考案の開示】
【考案が解決しようとする課題】
【０００３】本考案はたわし本体をしっかりと握りやすくすることで握力が増し効果的な汚れ落しおよびボディマッサージができ且つ、たわし本体と毛の損耗を防ぐことができる。
【課題を解決するための手段】
【０００４】本考案のたわしガードベルトは、たわしを握っても型崩れしないしっかりとしたハードな樹脂系素材でベルト全体には波型の滑り止め加工とベルトの先端部分にサイズ調整用の穴が数箇所施され、もう一方の先端に頑固な汚れ落とし専用のへら状の突起物を設けところを特徴とする。
【考案の効果】
【０００５】本考案を装着することにより、たわし本来の汚れ落しとボディマッサージを効率よくでき且つ、たわし本体の型崩れと毛の損耗を大幅に防ぐことができる。
【考案を実施するための最良の形態】
【０００６】以下、本考案の実施の形態を図１から図３に基づき説明する。【０００７】図１は、本考案のたわしガードベルトの平面図である。
ベルト全体に波型の滑り止め加工とベルトの先端部分にサイズ調整用の穴が施され、もう一方のベルトの先端には掻き落とし専用のへら状突起物が設けている。【０００８】図２は、たわしガードベルトの断面図である。【０００９】本考案を装着した、たわしの実施図である。
たわしの外周全体の縛り部分に沿って本考案のガードベルトを装着し、たわしの留め金縛り部分に掻き落とし専用へら状突起物を被せている。
【図面の簡単な説明】
【００１０】
【図１】たわしガードベルトの平面図である。
【図２】たわしガードベルトの断面図である。
【図３】たわしガードベルトを装着した、たわし本体である。
【符号の説明】
【００１１】１  たわしガードベルト本体
２  波型滑り止め加工
３  掻き落としへら状突起物
４  ベルトサイズ調整穴
５  たわし本体
６  たわしの留め金にセットする空洞部分
【図１】
0003137848.tif 000003
【図２】
0003137848.tif 000004
【図３】
0003137848.tif 000005
(57)【要約】      （修正有）【課題】サイドピンに対してストッパをズレることなく片手で固着することができ、作業効率を格段に向上させることのできる位置決め保持ストッパを提供する。【解決手段】プレス型の上型本体側に設けられるパットに係合するサイドピンのストッパであって、ストッパ本体２に磁石３を設けてなる位置決め保持ストッパ。【選択図】図１
0003137845.tif 000002
【実用新案登録請求の範囲】
【請求項１】
プレス型の上型本体側に設けられるパットに係合するサイドピンのストッパであって、ストッパ本体に磁石を設けてなることを特徴とする位置決め保持ストッパ。
【請求項２】
磁石がシート状であることを特徴とする請求項１記載の位置決め保持ストッパ。
【請求項３】
プレス型の上型本体側に設けられるパットに係合するサイドピンのストッパであって、ストッパ本体が磁性体であることを特徴とする位置決め保持ストッパ。
【考案の詳細な説明】
【技術分野】
【０００１】  本考案は、上型本体側に設けられるパッドに係合するサイドピンのストッパの改良に関するものである。
【背景技術】
【０００２】  従来の技術として、上型本体の側面にパッドを装着するサイドピンの抜け止めストッパであって、上型本体の側面に貫通されるサイドピンの近傍における上型本体の内側面に、変形及び復元可能であり、変形状態で前記サイドピンの外周に形成されている溝に係合する皿形のストッパを回り止めしてボルトにより締め緩め可能に固着したことを特徴とするプレス型のサイドピンストッパ構造がある。（特許文献１参照）
【特許文献１】  特開平９−２２０７００号公報
【考案の開示】
【考案が解決しようとする課題】
【０００３】  上記従来技術においては、皿形のストッパをノックピンにて回り止めしてボルトにて固着してなるもので、構造が複雑であり、かつ、片手でストッパを押さえ、もう一方の手でボルトを締め付けてなるものであり、片手で簡単に固着できるものではない。【０００４】  本考案は、このような従来の構成が有していた問題を解決しようとするものであり、サイドピンに対してストッパをズレることなく片手で固着することができ、作業効率を格段に向上させることのできる位置決め保持ストッパを提供することを目的とする。
【課題を解決するための手段】
【０００５】  本考案は、上記目的を達成するために、プレス型の上型本体側に設けられるパットに係合するサイドピンのストッパであって、ストッパ本体に磁石を設けてなる。
また、磁石がシート状である。
そして、プレス型の上型本体側に設けられるパットに係合するサイドピンのストッパであって、ストッパ本体が磁性体であることを特徴とする。
【考案の効果】
【０００６】１）、ストッパ本体に磁石を設けることにより、サイドピンをプレス型の上型本体へ取り    付けるとき、ストッパの係止部をサイドピンの溝に係止させると同時に磁石にて上型    本体に固着することにより、落下や回転することなく片手でボルトを締め付け、安全    且つ簡単に固定することができる。
２）、磁石をシート状にすることにより、段差も少なく、スムーズに作業を行うことがで    きる。
３）、ストッパ本体が磁性体であることにより、段差もなく直接上型本体に取り付けられ    るものである。
【考案の実施するための最良の形態】
【０００７】  位置決め保持ストッパ１は、先端をサイドピンの溝に係止すべく円弧状に形設した係止部２ａを設けると共に、後部にボルト孔２ｂを穿設したストッパ本体２の内側（底面）にシート状のボルト孔２ｂと連通する固定孔３ａを穿設した磁石３を設けてなるものである。
【０００８】  上記のように構成した位置決め保持ストッパ１の使用例について説明する。
プレス型Ｐの上型本体ＵＨ側に設けられるパッドＰＤに係合すべく、上型本体ＵＨよりサイドピンＳＰを挿入する。
つづいて、位置決め保持ストッパ１の係止部２ａをサイドピンＳＰの溝Ｍに係止させると同時に磁石３にて上型本体ＵＨに固着する。
この状態で、ボルト孔２ｂよりボルトＢ（例えば六角穴付ボルト）を挿入し、片手でレンチ（図示せず）にて締め付けて固定するものである。
【０００９】  つぎに、他の実施例を説明する。
位置決め保持ストッパ２１は、先端をサイドピンの溝に係止すべく円弧状に形設した係止部２２ａを設けると共に、後部に長孔状のボルト孔２２ｂを穿設したストッパ本体２２を鉄製とし、磁化した磁性体としてなるものである。
この位置決め保持ストッパ２１は、それ自体が磁石となり、着脱自在に取り付けられるものである。
【００１０】  上記実施例において、ボルト孔は丸孔や長孔等、いろいろ考えられる。
また、使用するサイドピンにおいても、シングル溝タイプやダブル溝タイプ等いろいろある。
さらに、サイドピンに対して位置決め保持ストッパを２個以上取り付けてもよい。
【図面の簡単な説明】
【００１１】
【図１】  本考案の第１実施例を示す位置決め保持ストッパの中央縦断正面図。
【図２】  本考案の第１実施例を示す位置決め保持ストッパの平面図。
【図３】  本考案の第１実施例を示す位置決め保持ストッパの要部の使用状態を示す側面図。
【図４】  本考案の第１実施例を示す位置決め保持ストッパの使用状態を示す一部縦断正面図。
【図５】  本考案の第２実施例を示す位置決め保持ストッパの平面図。
【符号の説明】
【００１２】  １―――位置決め保持ストッパ
２―――ストッパ本体
２ａ――係止部
２ｂ――ボルト孔
３―――磁石
３ａ――固定孔
Ｐ―――プレス型
ＵＨ――上型本体
ＰＤ――パッド
ＳＰ――サイドピン
Ｍ―――溝
Ｂ―――ボルト
【図１】
0003137845.tif 000003
【図２】
0003137845.tif 000004
【図３】
0003137845.tif 000005
【図４】
0003137845.tif 000006
【図５】
0003137845.tif 000007
(57)【要約】      （修正有）【課題】家電製品本体に付随したリモートコントローラーを忘失した時に、迅速に探し出す探索装置を提供する。【解決手段】家電製品本体１から、対をなすリモートコントローラー４へ信号を発信し、信号を受信したリモートコントローラー４では、音や振動或いは光にて探索者に対し知らせる。【選択図】図１
0003137850.tif 000002
【実用新案登録請求の範囲】
【請求項１】
テレビ受像機やエアコンディショナーなどの家電製品本体に発信用スイッチおよび送信機を設け、このスイッチを押すことにより、家電製品本体に対となったリモートコントローラーに装備された受信機にて、音ないし振動或いは光を起動させ、忘失したリモートコントローラーを探し出す、送信機と受信機とが一対となった探索装置。
【考案の詳細な説明】
【技術分野】
【０００１】  本考案は、家電製品のリモートコントローラーに受信機を、当該リモートコントローラーと対をなす家電製品本体に送信機を組み込んだ、探索装置に関するものである。
【背景技術】
【０００２】家電製品本体は、多くの場合一定の場所に置かれるが、これを制御するリモートコントローラーは、不定の場所に置かれることが多く、いざ操作をしようにも、どこに存するか直ぐには分からずに、難儀をしいられることがしばしばであった。
【考案の開示】
【考案が解決しようとする課題】
【０００３】一般に、家電製品の本体に比べ、それらの家電製品を制御するためのリモートコントローラーは小型で、一度使用した後には、それをとり置く場所が一定ではない場合が多い。まして、他人が使用した後に、家電製品本体を操作すべく、そのリモートコントローラーを探しても、直ぐには見つからない事がしばしばである。
【課題を解決するための手段】
【０００４】家電製品本体は不動の場所に存しているので、その本体に送信機を組み込み、当該家電製品本体と一対をなすリモートコントローラーに受信機を組み込み、送信機からの無線信号あるいは超音波信号を受信したときには、音ないし振動或いは光にてその在処を、探索している人に伝える。
【考案の効果】
【０００５】部屋中を探し回らずとも、家電製品本体から発せられた信号を受信した場合、音ないし振動或いは光にてその在処を、積極的に探索者に知らしむことができ、直ぐにそのリモートコントローラーを探し出すことができる。
【考案を実施するための最良の形態】
【０００６】送信機の電源を家電製品本体から、受信機の電源を家電製品本体と対をなすリモートコントローラーからとることにより、それぞれが単独の電源を追加装備することなく装置を構築できる。
【図面の簡単な説明】
【０００７】
【図１】本考案システムの、家電製品本体とリモートコントローラーの一対の例を模式したものである。
【符号の説明】
【０００８】１  家電製品本体模式図
２  発信用スイッチ
３  送信機及びアンテナ
４  家電製品本体に対のリモートコントローラー模式図
５  アンテナ及び受信機
【図１】
0003137850.tif 000003
(57)【要約】      （修正有）【課題】綿の柔らかみを体感できると共に、遠赤外線放射効果で健康を期待し、なおも、この綿を加温する事によって綿の遠赤外線放射率を高めた上、使用時は血流を良好にし、身体の芯から暖かくするクッションを提供する。【解決手段】このクッション部分の改良を行い、ウレタン質のスポンジや綿を使用せず、それに替えて、遠赤外線を放射する遠赤外線綿にし、更に、電気マットをその芯に置き、この特殊綿で包んでクッションとし、従来の軟らかく弾力性があるだけの素材のものでなく、軟らかさと弾力性があり、更に、温かく健康的効果のある構造に改良した。【選択図】図１
0003137846.tif 000002
【実用新案登録請求の範囲】
【請求項１】
座椅子であって、その背もたれ部分と座る部分を形成するために椅子骨組みを配し、その骨組みの外側を椅子カバーで覆い、又、背もたれ部及び座る部分のそれぞれの椅子カバーの内側に電気マットを設けて、その電気マットを配し、その電気マットを包みこむように遠赤外線放射綿を配したことを特徴とする加温遠赤外線綿クッション座椅子。
【考案の詳細な説明】
【技術の分野】
【０００１】  本考案は、座敷等で寛ぐ座椅子であって、背もたれ部分及び座る部分に設けられている軟らかい弾力性を持つクッションの部分の改良を図る事に関する。
【背景技術】
【０００２】  前述のクッションの部分は、従来では、その素材がウレタンを原料として造られたスポンジや綿を使っており、椅子の使用感は背もたれ部分及び座る部分に軟らかさと弾力性を感じ得れる構造のものであるが、それだけでは工夫不足であり、クッションが軟らかいと共に温かく尚、健康にも良い事を目的とした構造にする。
【考案の開示】
【考案が解決しようとする課題】
【０００３】  従来の座椅子の背もたれ部分及び座る部分に設けられているクッションは、素材をウレタン質のスポンジや綿が敷いて形成されておるため、温かくもないし、健康に効果が得れるものではなく、その期待の不足を満たす目的で、従来の使用素材を他の素材に替えて解決する。
【課題を解決するための手段】
【０００４】  前述課題を解決するために、座椅子は、背もたれ部分及び座る部分を形成するために、椅子骨組みを配し、その骨組みの外側を椅子カバーで覆い、又、背もたれ部分及び座る部分のそれぞれの椅子カバーの内側に電気マットを設けて、その電気マットを配し、その電気マットを包み込むように遠赤外線放射綿を配した、座椅子の背もたれ部分と座る部分のクッションを温かく更に健康効果のあるものにする。【０００５】  遠赤外線放射綿は、遠赤外線を放射する岩石を粉末にし、ポリエステルの原料と練り合わせ、それを綿に加工したもので、現在一般社会では布団の中綿に使用されており、放射する遠赤外線効果は前述の岩石の放射効果と変わらないし、この特殊綿は加温することで遠赤外線の放射率を高めるため、本考案のクッション部分の改良にも、この電気マットの熱で加温することによって遠赤外線放射率を高め、電気マットの熱を加えクッションは、この構造の組み合わせとする。【０００６】  尚、他の事務用椅子、ソファー、又、椅子で座部や背もたれのクッション部分を従来の素材の構造であるものは、同じ素材に取り替えて、軟らかく、暖かいだけのクッションの構造のものを、上記の手段で遠赤外線綿を加温してクッションの素材にし、軟らかく、暖かく、遠赤外線放射効果で健康的なクッションに改良する。
【考案の効果】
【０００７】  本考案は、綿の柔らかみを体感できると共に、遠赤外線放射効果で健康を期待し、なおも、この綿を加温する事によって綿の遠赤外線放射率を高めた上、使用時は血流を良好にし、身体の芯から暖かくするクッションにする事ができた。この背もたれ座椅子に座ってくつろぐ時、軟らかく、暖かく、健康的に使用できる本考案は、従来の背もたれ座椅子に比べ、工夫の前進である。
【考案を実施するための最良の形態】
【０００８】  図１に示すのは、座椅子の縦断面図である。背もたれ部分１は巾６０ｃｍ、高さ７５ｃｍである。座る部分２は巾６０ｃｍ、前後の奥行きは６０ｃｍである。
４は背もたれ部分の電気マットで広さは、縦、横４５ｃｍ正方形で厚み１ｃｍの板状の形でマットの内部にコード状の発熱体が面上（ネット等）に配設したヒーターである。
５は座る部分の電気マットであり、４と同じものである。電気マットの設置位置は、４を背もたれ部分の中央に置き、５の電気マットも座る部分の中央の位置に設置する。
８，９は、マットの電源コードであり、電気を入れる
２の座る部分と１の背もたれ部分からなる座椅子を形成するために６の椅子骨組みを配し、その外側には７椅子カバーで覆い、又、背もたれ部及び座る部分の内部に４，５の電気マットを設けて、その電気マットを包み込むように遠赤外線放射綿を配した事を特徴とした加温遠赤外線綿クッション座椅子。
【産業上の利用の可能性】
【０００９】  上記のように本考案の加温した赤外線放射綿をクッションにした、背もたれ座椅子は、従来の軟らかいクッションの椅子と云うだけでなく、柔らかさに加え、暖かく、そして遠赤外線放射を多く浴びて健康的に使用できる構造を有した社会的利用の可能性を大きくした座椅子である。
【図面の簡単な説明】
【００１０】
【図１】  本考案の加温遠赤外線綿クッション座椅子の縦断面図である。
【符号の説明】
【００１１】１  背もたれ部分
２  座る部分
３  遠赤外線放射綿
４  電気マット
５  電気マット
６  椅子骨組み
７  椅子カバー
８  電源コード
９  電源コード
【図１】
0003137846.tif 000003